(57)【要約】【課題】使用の際に足が脚部材と接触するのを回避することができる正座補助椅子を提供する。【解決手段】人の臀部Ｈを載せることができる座板２に、互いに交差するように組み合せ可能な幅広の一対の脚部材３，３´が着脱可能に取り付けられて構成される正座補助椅子１において、脚部材３，３´の側部を円弧状に切り欠いて側部切欠き部８，８；８´，８´を設けるとともに、脚部材３，３´を座板２の前後左右方向に十の字状に交差させるように配設するものとする。【選択図】図２
0003183257.tif 000002
【実用新案登録請求の範囲】
【請求項１】
人の臀部を載せることができる座板に、互いに交差するように組み合せ可能な幅広の一対の脚部材が着脱可能に取り付けられて構成される正座補助椅子において、
前記脚部材の側部を円弧状に切り欠き、かつ前記脚部材を前記座板の前後左右方向に十の字状に交差させるように配設したことを特徴とする正座補助椅子。
【請求項２】
前記脚部材の上面とその上面に対向する前記座板の下面とには、いずれか一方に磁石体が、他方に磁性体が埋設される請求項１に記載の正座補助椅子。
【請求項３】
前記脚部材の交差部に対向する前記座板の下面に雌螺子部が設けられ、前記脚部材の交差部を上下に貫通するボルトをその雌螺子部に螺合して締め付けることにより、前記座板と前記脚部材とが締結される請求項１または２に記載の正座補助椅子。
【考案の詳細な説明】
【技術分野】
【０００１】
本考案は、冠婚葬祭や各種の会合の席などで長時間正座するときに、お尻の下に敷いて足が痺れるのを軽減する正座補助椅子に関するものである。
【背景技術】
【０００２】
従来の正座補助椅子として、例えば特許文献１にて提案されているものがある。
【先行技術文献】
【特許文献】
【０００３】
【特許文献１】実用新案登録第３１７８７１０号公報
【０００４】
この特許文献１に係る正座補助椅子は、人の臀部を載せることができる座板に、互いに交差するように組み合せ可能な幅広の一対の脚部材が着脱可能に取り付けられて構成されている。
【０００５】
この正座補助椅子によれば、簡易な構造で容易に組み立てることができ、互いに交差するように組み合わされた幅広の一対の脚部材によって着座者の縦方向や横方向の体重移動を伴う使用にも耐え、しかも座板および一対の脚部材をそれぞれパーツ毎に分解することで、コンパクトに纏めて鞄等に収納可能となるので、持ち運びにも便利であるという利点がある。
【０００６】
しかしながら、上記の正座補助椅子では、一対の脚部材が座板の前後左右方向に対し水平方向に４５°ずらしてＸの字状に交差させるように配設されているため、例えば女性がしばしばするような正座、すなわち両膝を合わせ、爪先を重ねるような正座をしたときに、足が脚部材の側部に接触して痛くなるという問題点がある。
【考案の概要】
【考案が解決しようとする課題】
【０００７】
本考案は、前述のような問題点に鑑みてなされたもので、使用の際に足が脚部材と接触するのを回避することができる正座補助椅子を提供することを目的とするものである。
【課題を解決するための手段】
【０００８】
前記目的を達成するために、本考案による正座補助椅子は、
人の臀部を載せることができる座板に、互いに交差するように組み合せ可能な幅広の一対の脚部材が着脱可能に取り付けられて構成される正座補助椅子において、
前記脚部材の側部を円弧状に切り欠き、かつ前記脚部材を前記座板の前後左右方向に十の字状に交差させるように配設したことを特徴とするものである（第１考案）。
【０００９】
本考案において、前記脚部材の上面とその上面に対向する前記座板の下面とには、いずれか一方に磁石体が、他方に磁性体が埋設されるのが好ましい（第２考案）。
【００１０】
本考案において、前記脚部材の交差部に対向する前記座板の下面に雌螺子部が設けられ、前記脚部材の交差部を上下に貫通するボルトをその雌螺子部に螺合して締め付けることにより、前記座板と前記脚部材とが締結されるのが好ましい（第３考案）。
【考案の効果】
【００１１】
本考案の正座補助椅子によれば、一対の脚部材が座板の前後左右方向に十の字状に交差するように配設され、しかも脚部材の側部が円弧状に切り欠かれているので、使用の際に足が脚部材と接触するのを回避することができる。なお、万一、脚部材の側部に足が接触したとしても、その円弧形状に沿って足が接触されることになるので、脚部材との接触に起因して足が痛くなるのを確実に防ぐことができる。
【００１２】
第２考案の構成を採用することにより、組付時においては、磁石体と磁性体との間に作用する磁力によって座板に脚部材が吸い付けられるので、組付作業をより容易に行うことができ、組付後においては、同磁力によって座板に対する脚部材の組付状態が確実に保持されてガタツキを確実に防止することができる。
【００１３】
第３考案の構成を採用することにより、座板に対する脚部材の組付状態が両者を締結するボルトによって確実に保持されるので、例えば持ち運び時に脚部材が外れたりするのを確実に防ぐことができる。
【図面の簡単な説明】
【００１４】
【図１】本考案の一実施形態に係る正座補助椅子の全体斜視図
【図２】本実施形態の正座補助椅子の使用時の背面図
【図３】本実施形態の正座補助椅子の底面図
【図４】一方の脚部材の平面図（ａ）、正面図（ｂ）および底面図（ｃ）並びに他方の脚部材の平面図（ｄ）、正面図（ｅ）および底面図（ｆ）
【図５】座板の底面図
【図６】本実施形態の正座補助椅子の収納時の底面図
【考案を実施するための形態】
【００１５】
次に、本考案による正座補助椅子の具体的な実施の形態について、図面を参照しつつ説明する。
【００１６】
＜正座補助椅子の概略説明＞
図１〜図２に示されるように、正座補助椅子１は、座板２と、この座板２を支持する一対の脚部材３，３´とを備えている。
【００１７】
＜座板の説明＞
座板２は、基板４の上面に弾力性に富むクッション材５が貼り付けられて構成され、横方向（着座者の左右方向）の寸法に対して奥行方向（着座者の前後方向）の寸法が短い略長方形状で、人の臀部Ｈを載せることができる大きさに形成されている。なお、このクッション材５を合成皮や市販の布地類などのカバーで覆うのが好ましい。また、このカバーには、華麗な色柄を付したり、冠婚葬祭に適合する和風調の色柄を付したりするのがよい。
【００１８】
＜脚部材の説明＞
脚部材３，３´は、いずれも幅広の板状部材で構成され、図３に示されるように、座板２の前後左右方向に十の字状に交差するように配設されている。
【００１９】
脚部材３，３´の脚長寸法は、脚部材３，３´が座板２に組み付けられた状態にあるときに、座板２が所定高さ位置に配されるようにその大きさが決定されている。ここで、所定高さ位置とは、図２に示されるように、着座者が臀部Ｈを座板２に載せて正座姿勢をとったとしても、ふくらはぎや足Ｆの圧迫が軽減され、しかも正座姿勢として違和感がないという条件を満足する高さ位置のことである。なお、この所定高さ位置は、脚長寸法の異なる複数の脚部材３，３´を適宜に取り替えることによって調整することができる。
【００２０】
脚部材３，３´のうち、前後方向に沿って配される脚部材３において、その上部における幅方向中央位置には、図４（ｂ）に示されるように、脚部材３に対し平面視で９０°位相をずらせた脚部材３´の上部が丁度嵌り込むように上方に向けて開放された上方開放切欠き部６が設けられている。
脚部材３，３´のうち、左右方向に沿って配される脚部材３´において、その下部における幅方向中央位置には、図４（ｅ）に示されるように、脚部材３´に対し平面視で９０°位相をずらせた脚部材３の下部が丁度嵌り込むように下方に向けて開放された下方開放切欠き部６´が設けられている。
これら上方開放切欠き部６と下方開放切欠き部６´とを係合させて脚部材３，３´を互いに直角を成して交差させるように組み合せることにより、着座者の縦方向や横方向の体重移動を伴う使用にも耐えることができ、着座の安定性を確保することができる。
【００２１】
図４（ｂ）（ｅ）に示されるように、脚部材３，３´の両側部には、円弧状に切り欠かれて形成される側部切欠き部８，８；８´，８´が設けられている。
脚部材３，３´の下部には、長方形状に切り欠かれて形成される下部切欠き部９，９´が設けられている。なお、脚部材３，３´において、下部切欠き部９，９´の両側における下面（接地面）には、畳やフローリング等を傷付けないようにするため、また滑り止めのため、例えばゴム、フェルト等の材質のシート材１０，１０´が貼り付けられている。
【００２２】
＜脚部材の突起と座板の嵌合口の説明＞
図４（ａ）（ｂ）に示されるように、脚部材３の上面には、上方開放切欠き部６の両側に位置するように幅方向に所定間隔を存して一対の円柱状（角状でもよい）の突起１１，１１が設けられている。また、図４（ｄ）（ｅ）に示されるように、脚部材３´の上面には、脚部材３における下部切欠き部９に嵌り込む間隔で一対の円柱状（角状でもよい）の突起１１´，１１´が設けられている。
一方、図５に示されるように、互いに直角を成して交差するように組み合わされて座板２に対し前後左右に十の字状に配される脚部材３，３´における突起１１，１１；１１´，１１´と嵌合する嵌合口１２，１２；１２´，１２´が基板４の下面に設けられている。
【００２３】
＜磁石体と磁性体の説明＞
図４（ａ）（ｄ）に示されるように、脚部材３，３´の上面には、突起１１，１１；１１´，１１´の外側に位置するように幅方向に所定間隔を存して一対の磁性体（ビス等）１３，１３；１３´，１３´が埋設される一方、互いに直角を成して交差するように組み合わされた脚部材３，３´を座板２に対し前後左右に十の字状に組み付ける際に、これら脚部材３，３´の上面に対向する基板４の下面には、図５に示されるように、各磁性体１３，１３；１３´，１３´に対応するように磁石体１４，１４；１４´，１４´が埋設されている。
これにより、組付時においては、磁性体１３，１３；１３´，１３´と磁石体１４，１４；１４´，１４´との間に作用する磁力によって座板２に脚部材３，３´が吸い付けられるので、組付作業をより容易に行うことができ、組付後においては、同磁力によって座板２に対する脚部材３，３´の組付状態が確実に保持されてガタツキを確実に防止することができる。
また、図４（ｂ）（ｅ）に示されるように、脚部材３，３´の板面における中央位置には、正面から背面に貫通するように磁性体１５，１５´が埋設されており、基板４の下面に埋設される磁石体１４´，１４´を利用して、これら磁性体１５，１５´と磁石体１４´，１４´との間に作用する磁力により、図６に示されるように、分解後の収納時に、座板２に脚部材３，３´を吸着させることができる。
なお、例えば、脚部材３，３´の上面に磁石体１４，１４；１４´，１４´を、基板４の下面に磁性体１３，１３；１３´，１３´をそれぞれ埋設するといった具合に、上記の磁性体１３，１３´，１５，１５´と磁石体１４，１４´の埋め込みに関し、その埋め込み対象を入れ替える態様もあり得る。
【００２４】
＜座板と脚部材の締結具の説明＞
図５に示されるように、座板２の中心部は、脚部材３，３´の交差部に対応する部位とされており、該中心部における基板４には、爪付きナット１６（本発明の「雌螺子部」に対応する。）が埋設されている。
図４（ａ）〜（ｃ）に示されるように、脚部材３における上方開放切欠き部６の下側の部位には、ボルト挿通孔１７が穿設されるとともに、同図（ｄ）〜（ｆ）に示されるように、脚部材３´における下方開放切欠き部６´の上側の部位にも、ボルト挿通孔１７´が穿設されている。これらボルト挿通孔１７，１７´は、脚部材３，３´が互いに直角を成して交差するように組み合わされたとき、互いの孔位置が合うようになっており、図３に示されるように、これらボルト挿通孔１７，１７´を通してボルト１８を座板２の爪付きナット１６（図５参照）に螺合して締め付けることにより、図１に示されるように、座板２と一対の脚部材３，３´とがボルト１８によって締結される。
【００２５】
＜構成部品の材質等の説明＞
脚部材３，３´や基板４などの各構成部品は、比較的高い剛性を得ることができるとともに軽量化を図ることができる木材や樹脂などの材質のもので構成するのが好ましい。また、クッション材５などの構成部品は、比較的弾性力を得ることができるとともに軽量化を図ることができる発泡樹脂などの材料のもので構成するのが好ましい。
【００２６】
＜作用効果の説明＞
以上に述べたように構成される正座補助椅子１においては、一方の脚部材３における上方開放切欠き部６と他方の脚部材３´における下方開放切欠き部６´とを係合させることによって脚部材３，３´が互いに直角を成して交差するように組み合わされる。そして、脚部材３，３´の突起１１，１１；１１´，１１´と基板４の嵌合口１２，１２；１２´，１２´とを嵌合させることにより、脚部材３，３´が座板２に対し前後左右に十の字状に配された状態で位置決めされて組み付けられる。
この正座補助椅子によれば、脚部材３，３´が座板２の前後左右方向に十の字状に交差するように配設され、しかも脚部材３，３´の側部に円弧状の側部切欠き部８，８，８´，８´が設けられているので、使用の際に足Ｆが脚部材３，３´と接触するのを回避することができる。なお、万一、脚部材３，３´の側部に足Ｆが接触したとしても、側部切欠き部８，８，８´，８´の円弧形状に沿って足Ｆが接触されることになるので、脚部材３，３´との接触に起因して足Ｆが痛くなるのを確実に防ぐことができる。
また、図６に示されるように、脚部材３のボルト挿通孔１７にボルト１８をその頭部が下部切欠き部９の内部に収まるように差し込むとともに、脚部材３´の突起１１´，１１´をその下部切欠き部９に嵌め込み、かつ脚部材３，３´の磁性体１５，１５´を基板４の磁石体１４´，１４´に合わせるようにして、脚部材３，３´を基板４上に置くことにより、座板２や脚部材３，３´、ボルト１８等の各構成部品をコンパクトに纏めて鞄等に収納可能となり、持ち運びに便利な形態とすることができる。
【００２７】
以上、本考案の正座補助椅子について、一実施形態に基づいて説明したが、本考案は上記実施形態に記載した構成に限定されるものではなく、その趣旨を逸脱しない範囲において適宜その構成を変更することができるものである。
【産業上の利用可能性】
【００２８】
本考案の正座補助椅子は、簡易な構造で容易に組立可能で、着座の安定性や持ち運びの利便性に優れ、しかも使用の際に足が脚部材と接触するのを回避することができるという特性を有していることから、冠婚葬祭や各種の会合の席等で長時間正座するときにお尻の下に敷く携帯式の椅子としての用途に好適に用いることができる。
【符号の説明】
【００２９】
１            正座補助椅子
２            座板
３，３´      脚部材
８，８´      側部切欠き部
１１，１１´  突起
１２，１２´  嵌合口
１３，１３´  磁性体
１４，１４´  磁石体
１６          爪付きナット（雌螺子部）
１８          ボルト
【図１】
0003183257.tif 000003
【図２】
0003183257.tif 000004
【図３】
0003183257.tif 000005
【図４】
0003183257.tif 000006
【図５】
0003183257.tif 000007
【図６】
0003183257.tif 000008